(57)【要約】【課題】保守員が所定の保守点検日時に保守対象のエレベーターに近づいた場合に前もって点検作業の準備状態を整えることで、保守点検作業の効率向上を図るエレベーターの保守点検支援システムを提供する。【解決手段】エレベーターの保守点検支援システムにおいて、記憶手段４、にエレベーターの保守点検日時と保守員が２０所持する携帯端末２１の識別信号を登録し、エレベーターは位置情報提供手段９に前記識別信号を送出してエレベーターと前記携帯端末２１との距離を取得し、前記保守点検日時を基準とした所定時間範囲内に前記携帯端末２１がエレベーターより所定の距離以内となった場合は、表示手段２、３に保守点検作業を通知する表示を行ってエレベーターの乗客に対して情報提供を行ない、エレベーターの乗りかご６の位置を所定の階床に移動する。【選択図】図１
2014213953.tif 000002
【特許請求の範囲】
【請求項１】
エレベーターの乗りかご内または乗り場ホールの少なくとも一方に設置された表示手段と通信手段と書換え可能な記憶手段とを備えたエレベーターと、保守員が所持する位置情報を無線通信手段により提供する機能を持つ携帯端末と、前記携帯端末より提供された前記位置情報より前記エレベーターと前記携帯端末との距離を提供する位置情報提供手段と、で構成されたエレベーターの保守点検支援システムであって、
前記記憶手段に前記エレベーターの保守点検日時と保守員が所持する携帯端末の識別信号を登録し、前記エレベーターは前記位置情報提供手段に前記識別信号を送出して前記エレベーターと前記携帯端末との距離を取得し、前記保守点検日時を基準とした所定時間範囲内に前記携帯端末が前記エレベーターより所定の距離以内となった場合は、前記表示手段に保守点検作業を通知する表示を行って前記エレベーターの乗客に対して情報提供を行ない、前記エレベーターの乗りかごの位置を予め設定した所定の階床に移動することを特徴とするエレベーターの保守点検支援システム。
【請求項２】
請求項１に記載のエレベーターの保守点検支援システムにおいて、これから保守が実施されることを前記表示手段に表示する機能および前記エレベーターの乗りかごの位置を予め設定した階床に移動させる機能の有効化設定と無効化設定、次回の保守点検日時の設定を前記上記通信手段により遠隔地から実行できるようにしたことを特徴とするエレベーターの保守点検支援システム。
【発明の詳細な説明】
【技術分野】
【０００１】
本発明は、エレベーターの保守点検支援システムに係り、特に保守点検作業の効率向上を支援するエレベーターの保守点検支援システムに関する。
【背景技術】
【０００２】
近年のエレベーターの乗りかご内、及びホール乗り場には、様々な情報を表示可能な表示器が備え付けられてきており、利用者に各種の情報を提供している。
【０００３】
一方、ＧＰＳ（全地球測位システム）の衛星や携帯電話基地局や無線ＬＡＮ基地局からの電波を利用して携帯端末の位置を測定して位置情報を提供する機能を持つ携帯電話やスマートホンなどの携帯端末等の普及により、位置情報を利用したサービスが充実してきている。この位置情報を提供する機能を装備した携帯端末を所持した利用者がエレベーターに接近することで、自動的にエレベーターの呼び登録を行い利便性を高める技術が特許文献１に開示されている。
【先行技術文献】
【特許文献】
【０００４】
【特許文献１】特開２０１１−１３６８３６号公報
【発明の概要】
【発明が解決しようとする課題】
【０００５】
特許文献１に開示されている従来技術は、エレベーターの利用者の利便性を高める技術ではあるが、保守作業についての効率化を図ることについては言及されていない。
【０００６】
本発明は、所定のエレベーターにおける保守点検作業のスケジュールとその所在位置と、保守員が所持する位置情報を提供する機器からの保守員の位置と参照し、保守員が所定のエレベーターに対してその保守点検作業日時に近づいたことを判定して前もって点検作業の準備状態を整えることにより、保守点検作業の効率向上を図るエレベーターの保守点検支援システムを提供することにある。
【課題を解決するための手段】
【０００７】
本発明は、エレベーターの乗りかご内または乗り場ホールの少なくとも一方に設置された表示手段と通信手段と書換え可能な記憶手段とを備えたエレベーターと、保守員が所持する位置情報を無線通信手段により提供する機能を持つ携帯端末と、前記携帯端末より提供された前記位置情報より前記エレベーターと前記携帯端末との距離を提供する位置情報提供手段と、で構成されたエレベーターの保守点検支援システムであって、
前記記憶手段に前記エレベーターの保守点検日時と保守員が所持する携帯端末の識別信号を登録し、前記エレベーターは前記位置情報提供手段に前記識別信号を送出して前記
エレベーターと前記携帯端末との距離を取得し、前記保守点検日時を基準とした所定時間範囲内に前記携帯端末が前記エレベーターより所定の距離以内となった場合は、前記表示手段に保守点検作業を通知する表示を行って前記エレベーターの乗客に対して情報提供を行ない、前記エレベーターの乗りかごの位置を所定の階床に移動することを特徴とする。
【０００８】
このような構成により、前記エレベーターは前記保守点検日時において前記保守員が保守作業を実施しようとしていることを前記携帯端末との距離によって判断し、前記表示手段にこれから保守が実施されることを表示して前記エレベーターの利用者に通知し、前記エレベーターの乗りかごの位置を予め設定した所定の階床に移動させる動作を実行することができる。
【０００９】
また、本発明は、前記エレベーターの保守点検支援システムにおいて、これから保守が実施されることを前記表示手段に表示する機能および前記エレベーターの乗りかごの位置を予め設定した階床に移動させる機能の有効化設定と無効化設定、次回の保守点検日時の設定を前記上記通信手段により遠隔地から実行できるようにしたことを特徴とする。
【００１０】
このような構成により、当初に予定していた保守点検日時が変更になったり保守員に緊急出動指示などが入り保守点検作業を行なえなくなった状況においては、エレベーターの保守点検支援機能の動作を停止させたり、次回の保守点検日時の設定を行なった上でエレベーターの保守点検支援機能の動作を再開させたりすることが可能となる。
【発明の効果】
【００１１】
以上のように本発明によれば、エレベーターは保守員が所定の保守点検日時に当該エレベータに近づいた場合に前もって点検作業の準備状態が整うことになり、保守点検作業の効率向上を図ることができる。
【図面の簡単な説明】
【００１２】
【図１】本発明のエレベーター制御システムの機器構成を示す図である。
【図２】本発明の一実施形態による保守支援運転の動作を説明するフローチャートである。
【図３】本発明の一実施形態による保守支援運転の有効、無効の切替え動作を説明するフローチャートである。
【発明を実施するための形態】
【００１３】
以下、本発明をエレベーター保守点検支援システムに適用した一実施形態を図１、図２、図３を使用して説明する。
【００１４】
図１は本発明の一実施形態を示すシステム構成図であり、図２はこの実施形態におけるエレベーターの動作を説明するフローチャートである。図３は、エレベーターが保守点検支援システムの機能の有効化、無効化の切替えを行なう動作を説明するフローチャートである。
【００１５】
本明細書において、エレベーター保守点検支援システムによるエレベーターの運転動作を保守支援運転と呼称する。
【００１６】
図１において、エレベーター制御装置１はエレベーターの全機能の制御を行いエレベーターの動作状態を判断可能とするものである。また、エレベーター制御装置１は、ＬＡＮインターフェース５を備えルーター７を介しインターネット回線８を経由して位置情報提供手段８とエレベーター監視センター１０と接続されている。
【００１７】
また、保守員２０が所持する携帯端末２１は、無線通信回線２２およびインターネット回線７にて位置情報提供手段８と接続されており、例えば複数のＧＰＳ衛星２３から送信された電波２３により位置を測定し、位置情報と携帯端末に予め設定されている識別信号とを定期的に位置情報提供手段９に送信する動作を行なうものである。
【００１８】
位置情報提供手段９は、携帯端末２１より送信された位置情報と携帯端末に予め設定されている識別信号とを受信し、エレベーター制御装置１と携帯端末２１との距離をエレベーター制御装置１に対して送信する動作を行なうものである。
【００１９】
エレベーター監視センター１０は、遠隔からインターネット回線８を介してエレベーター制御装置１に対してエレベーター制御装置１内の書替え可能な記憶手段４に対する編集操作指令を発行するものである。
【００２０】
次にエレベーター制御装置１における保守支援運転の動作を図２を使用して説明する。
【００２１】
エレベーター制御装置１内の記憶手段４には、予め保守員が所持する携帯端末に予め設定されている識別信号と次回の保守点検日時が記録されており、エレベーター制御装置１は保守点検日時の例えば１時間前になると（Ｓ１）、位置情報提供手段９に対して識別信号を持つ携帯端末２１の位置情報（エレベーター制御装置１と携帯端末２１との距離）を要求しこれを取得する（Ｓ２）。
【００２２】
取得した位置情報が所定の距離以下である場合（Ｓ３）、エレベーター制御装置１は現在の運行を継続しつつ乗りかご６１内の表示器２とホール乗り場の表示器３に対して、例えば「あと１０分後にメンテナンスを実施します。他のエレベーターをご利用ください」などのメッセージ表示を通常の表示内容と交互に表示する（Ｓ４）。
【００２３】
ここで、乗客が継続して当該エレベーターを利用するために図示しないホール釦や乗りかご内の行き先階釦などを操作し呼びが登録された場合はサービスを継続する（Ｓ５）。
【００２４】
一方、一定時間呼びが登録されない、すなわち当該エレベーターを利用する乗客がいない場合は、予め設定された所定の階、例えば１階のエントランス階へ乗りかごを移動し停止する（Ｓ６）。この時乗りかご６１内の表示器２とホール表示器３には上記のメッセージを連続表示する。
【００２５】
但し、この状況において図示しないホール釦や乗りかご内の行き先階釦など押され当該エレベーターに対して運行要求があった場合は、上記メッセージ表示と通常の表示を交互に表示しながら、運行サービスを提供する（Ｓ４）。
【００２６】
上記状態は、保守員２０が到着し点検作業を開始するまで継続される。保守員２０は対象となるエレベーターに到着後、決められた手順により点検作業を開始する（Ｓ９）。この時、エレベーター制御装置１は各表示器に点検中であることを報知する表示を行う。保守員２０は保守点検終了時にエレベーター制御装置１内の記憶手段４に対してスケジュールに従い次回の保守点検日時を設定を行う。
【００２７】
また、このエレベーター保守点検支援システムは、遠隔に設置されたエレベーター関しセンター１０などよりインターネット回線７を介して保守支援運転の有効化、及び無効化の設定を可能としている。この動作を図３を使用して説明する。エレベーター制御装置１は、エレベーター監視センター１０よりインターネット回線８を介して保守支援運転有効化指令、又は無効化指令を受信すると、エレベーター制御装置１は当該指令が自機宛の指令であるかを判定し（Ｓ１１〜Ｓ１２）自機宛であった場合、受信した指令に従って保守支援運転の有効化、又は無効化の設定を行う（Ｓ１４〜Ｓ１５）。上記の手順により設定を行なった後、現在記憶手段４に設定されている状態の情報をエレベーター監視センター１０へ返信する（手順S１６）。
【００２８】
更にエレベーター監視センター１０からエレベーター制御装置１に対してインターネット回線７経由で次回の保守点検日時の設定を行う。上記では保守員２０がエレベーター制御装置１内の記憶手段４に対して次回の保守点検日時の設定を行っている、これを設定し忘れた場合や保守点検日時が変更になった場合においても上記の保守支援運転の有効化などの処理と同じ動作により、遠隔より次回の保守点検日時の設定を可能とする。
【００２９】
総じて、本発明によるエレベーター保守点検支援システムによる動作により、エレベーターの保守員が所定の保守点検日時に当該エレベータに近づいた場合に前もって点検作業の準備状態を整えることにより、保守点検作業の効率向上を図ることができる。
【符号の説明】
【００３０】
１、１１、２１ 制御装置
２、２１、２２ 乗りかご内の表示器
３、３１、３２ ホール表示器
４、４１、４２ 記憶手段
５、５１、５２ ＬＡＮインターフェース
６、６１、６２  乗りかご
７     ルーター
８     インターネット回線
９     位置情報提供手段
１０   エレベーター監視センター
２０  保守員
２１  携帯端末
２２  無線通信手段
２３  ＧＰＳ衛星
２４  ＧＰＳ衛星からの電波
【図１】
2014213953.tif 000003
【図２】
2014213953.tif 000004
【図３】
2014213953.tif 000005